【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
ステント送達システムであって、
内側管腔と、近位端および遠位端とを有する、カテーテル本体と、
内側管腔と、前記カテーテル本体の前記遠位端と解放可能に連結された近位端とを有する、ステント部材と、
前記カテーテル本体の前記内側管腔の中に配置され、前記カテーテル本体および前記ステント部材を同心円状に整合させるように前記ステント部材の前記内側管腔の中へ延在する、内側部材アセンブリと、
テザーであって、前記テザーは、前記内側部材アセンブリの少なくとも一部を覆ってループを形成するように、前記カテーテル本体の前記内側管腔を通って、前記カテーテル本体の前記遠位端付近の前記カテーテル本体の外側ポートを通って外へ、前記カテーテル本体および前記ステント部材の外面に沿って、前記ステント部材の外側ポートを通って前記ステント部材の前記内側管腔の中へ延在し、それによって、前記ステント部材を前記カテーテル本体に固着する、テザーと
を備え、
前記テザーは、第１の端部と、第２の端部とを有し、前記テザーは、前記第１および第２の端部の両方と、前記カテーテル本体の前記近位端とに向かって近位に延在し、
前記ステント部材の前記内側管腔からの前記内側部材の後退は、前記ステント部材がステント本体から解放されるように、前記ループから前記内側部材アセンブリを解放する、ステント送達システム。
【請求項２】
前記内側部材アセンブリは、係止引張ワイヤであって、前記テザーの前記ループを通して螺入可能である係止引張ワイヤを備える、請求項１に記載のステント送達システム。
【請求項３】
前記内側部材アセンブリは、ハイポチューブを備える、請求項１に記載のステント送達システム。
【請求項４】
前記内側部材アセンブリは、前記カテーテル本体の前記近位端に連結されたハブにおける１つまたはそれを上回るプルタブもしくは回転可能キャップを伴って作動させられるように構成される、請求項１に記載のステント送達システム。
【請求項５】
前記テザーによって形成される前記ループは、前記ステント部材の前記内側管腔内で前記内側部材アセンブリの前記少なくとも一部によって螺入されるように、前記ステント部材の前記外側ポートを通して前記ステント部材の中へ延在する、請求項１に記載のステント送達システム。
【請求項６】
前記テザーは、前記カテーテル本体の前記遠位端付近の固定端と、自由端とを有し、前記テザーは、前記自由端と、前記カテーテル本体の前記近位端とに向かって近位に延在する、請求項１に記載のステント送達システム。
【請求項７】
前記ステント部材は、近位ループと、遠位ループとを備える、請求項１に記載のステント送達システム。
【請求項８】
前記ステント部材の前記近位ループもしくは前記遠位ループのうちの１つまたはそれを上回るものは、直線状構成と、ループ状構成とを有する、請求項７に記載のステント送達システム。
【請求項９】
前記近位ループもしくは前記遠位ループのうちの前記１つまたはそれを上回るものは、前記ループ状構成を成すように付勢される、請求項８に記載のステント送達システム。
【請求項１０】
前記カテーテル本体の前記内側管腔を通って延在し、前記近位ループに連結される、ループ引張ワイヤをさらに備え、前記ループ引張ワイヤを後退させることは、前記ループ構成の中に前記近位ループを引き入れ、または前記近位ループの半径を低下させる、請求項８に記載のステント送達システム。
【請求項１１】
前記ループ引張ワイヤは、前記ステント部材の前記近位端付近の前記ステント部材の第１の外側ポートから外へ延在し、前記近位ループの遠位端付近の前記ステント部材の第２の外側ポートの中へ戻って延在する、請求項１０に記載のステント送達システム。
【請求項１２】
前記ループ引張ワイヤは、前記カテーテル本体の前記近位端に連結されたハブにおけるプルタブまたは回転可能キャップから後退可能である、請求項１０に記載のステント送達システム。
【手続補正２】
【補正対象書類名】明細書
【補正対象項目名】００４７
【補正方法】変更
【補正の内容】
【００４７】
本明細書で記述される全ての出版物、特許、および特許出願は、各個別出版物、特許、または特許出願が、参照することによって組み込まれるように具体的かつ個別に示された場合と同一の程度に、参照することによって本明細書に組み込まれる。
本願明細書は、例えば、以下の項目も提供する。
（項目１）
内側管腔と、近位端および遠位端とを有する、カテーテル本体と、
内側管腔と、前記カテーテル本体の前記遠位端と解放可能に連結される近位端とを有する、ステント部材と、
前記カテーテル本体の前記内側管腔の中に配置され、前記カテーテル本体および前記ステント部材を同心円状に整合させるように前記ステント部材の前記内側管腔の中へ延在する、内側部材アセンブリと、
前記内側部材アセンブリの少なくとも一部を覆ってループを形成するように、前記カテーテル本体を通って、またはそれに沿って、前記ステント部材の前記内側管腔の中へ延在し、それによって、前記ステント部材を前記カテーテル本体に固着する、テザーと、
を備え、
前記ステント部材の前記内側管腔からの前記内側部材の後退は、前記ステント部材がステント本体から解放されるように、前記ループから前記内側部材アセンブリを解放する、ステント送達システム。
（項目２）
前記内側部材アセンブリは、係止引張ワイヤであって、前記テザーの前記ループを通して螺入可能である係止引張ワイヤを備える、項目１に記載のステント送達システム。
（項目３）
前記内側部材アセンブリは、ハイポチューブを備える、項目１に記載のステント送達システム。
（項目４）
前記内側部材アセンブリは、前記カテーテル本体の前記近位端に連結されたハブにおける１つまたはそれを上回るプルタブもしくは回転可能キャップを伴って作動させられるように構成される、項目１に記載のステント送達システム。
（項目５）
前記テザーは、前記カテーテル本体の前記内側管腔を通って延在する、項目１に記載のステント送達システム。
（項目６）
前記テザーは、前記カテーテル本体の前記遠位端付近の前記カテーテル本体の外側ポートから外へ延在する、項目５に記載のステント送達システム。
（項目７）
前記テザーによって形成される前記ループは、前記ステント部材の前記内側管腔内で前記内側部材アセンブリの前記少なくとも一部によって螺入されるように、前記ステント部材の外側ポートを通してステント部材の中へ延在する、項目５に記載のステント送達システム。
（項目８）
前記テザーは、前記カテーテル本体の前記遠位端付近の固定端と、自由端とを有し、前記テザーは、前記自由端と、前記カテーテル本体の前記近位端とに向かって近位に延在する、項目１に記載のステント送達システム。
（項目９）
前記テザーは、第１の端部と、第２の端部とを有し、前記テザーは、前記第１および第２の端部の両方と、前記カテーテル本体の前記近位端とに向かって近位に延在する、項目１に記載のステント送達システム。
（項目１０）
前記ステント部材は、近位ループと、遠位ループとを備える、項目１に記載のステント送達システム。
（項目１１）
前記ステント部材の前記近位ループもしくは前記遠位ループのうちの１つまたはそれを上回るものは、直線状構成と、ループ状構成とを有する、項目１０に記載のステント送達システム。
（項目１２）
前記近位ループもしくは前記遠位ループのうちの前記１つまたはそれを上回るものは、前記ループ状構成を成すように付勢される、項目１１に記載のステント送達システム。
（項目１３）
前記カテーテル本体の前記内側管腔を通って延在し、前記近位ループに連結される、ループ引張ワイヤをさらに備え、前記ループ引張ワイヤを後退させることは、前記ループ構成の中に前記近位ループを引き入れ、または前記近位ループの半径を低下させる、項目１１に記載のステント送達システム。
（項目１４）
前記ループ引張ワイヤは、前記ステント部材の前記近位端付近の前記ステント部材の第１の外側ポートから外へ延在し、前記近位ループの遠位端付近の前記ステント部材の第２の外側ポートの中へ戻って延在する、項目１３に記載のステント送達システム。
（項目１５）
前記ループ引張ワイヤは、前記カテーテル本体の前記近位端に連結されたハブにおけるプルタブまたは回転可能キャップから後退可能である、項目１３に記載のステント送達システム。
（項目１６）
腎尿管ステントを送達する方法であって、
ステント送達システムのステント部材の遠位端が膀胱の中に位置付けられ、前記ステント部材の近位端が腎盂の中に位置付けられるように、経皮アクセス部位を通して前記ステント送達システムを前進させるステップであって、前記ステント部材の前記遠位端が前記膀胱の中で遠位ループを形成する、ステップと、
前記腎盂の中で近位ループを形成するように、ステント部材の前記近位端を作動させるステップと、
前記ステント送達システムのカテーテル本体から前記ステント部材を分断するステップと、
定位置に前記ステント部材を残して、前記経皮アクセス部位から前記ステント送達システムの前記カテーテル本体を後退させるステップと、
を含む、方法。
（項目１７）
前記腎盂の中で近位ループを形成するように、前記ステント部材の前記近位端を作動させるステップは、前記ステント部材の前記近位端の半径を縮小するように、前記カテーテル本体を通って延在するループ引張ワイヤを後退させるステップを含む、項目１６に記載の方法。
（項目１８）
前記カテーテル本体から前記ステント部材を分断するステップは、前記カテーテル本体から前記ステント部材の中へ延在するテザーループを解放するように、前記ステント部材から係止引張ワイヤを後退させるステップを含む、項目１６に記載の方法。
（項目１９）
前記カテーテル本体から前記ステント部材を分断するステップは、前記ステント部材から内側部材を後退させるステップを含み、前記内側部材は、それを通して前進させられるときに、前記カテーテル本体を前記ステント部材と同心円状に整合させるように構成される、項目１６に記載の方法。
（項目２０）
前記カテーテル本体から前記ステント部材を分断し、前記経皮アクセス部位から前記カテーテル本体を後退させる前に少なくとも３日間、定位置に前記ステント送達システムの前記ステント部材および前記カテーテル本体を残すステップをさらに含む、項目１６に記載の方法。
（項目２１）
前記少なくとも３日間定位置に残された前記ステントの前記カテーテル本体を通して尿を排出するステップをさらに含む、項目２０に記載の方法。
（項目２２）
前記少なくとも３日間定位置に残された前記ステントの前記カテーテル本体にキャップを被せるステップをさらに含む、項目２０に記載の方法。